(57)【特許請求の範囲】
【請求項１】
スタンドを構成するハウジング（１５）の上面に、小形電気機器を起立姿勢で支持する第１載置部（２１）と、小形電気機器を起立姿勢で支持して、同機器の２次電池（６）を充電するための第２載置部（２２）とが配置してあり、
第１載置部（２１）がスタンドを構成するハウジング（１５）の上面に凹み形成され、第２載置部（２２）が第１載置部（２１）の上開口縁に連続して、第１載置部（２１）より高い位置に形成してあり、
第１載置部（２１）と第２載置部（２２）とが隣接配置されて、第１載置部（２１）と第２載置部（２２）の段差を繋ぐ部分に、第１載置部（２１）に載置した小形電気機器の周面を支持する支持壁（４４）が設けてあり、
支持壁（４４）が傾斜壁で形成されて、傾斜壁の横断面が第２載置部（２２）の内部へ向かって内凹み状に湾曲されており、
第１載置部（２１）の底壁（２１ｂ）に排水口（３２）が形成してある小形電気機器のスタンド。
【請求項２】
第２載置部（２２）に、基底部（３７）と、基底部（３７）に突設されるコネクター部（３８）と、基底部（３７）の周縁を囲む上突状の周壁（３９）とが設けられており、
第１載置部（２１）の支持壁（４４）の両側縁が、周壁（３９）に連続するリブ壁（４５）で覆われている請求項１に記載の小形電気機器のスタンド。
【請求項３】
ハウジング（１５）の上面上方に、第１載置部（２１）および／または第２載置部（２２）に載置した小形電気機器の周面の上下中途部を支持する保持リング（１６）が設けられており、
保持リング（１６）がハウジング（１５）で斜めに傾斜する状態で支持してある請求項１または２に記載の小形電気機器のスタンド。
【請求項４】
ハウジング（１５）の内部に、乾燥空気を送出する送風器（２４）が設けられており、
第１載置部（２１）および／または第２載置部（２２）に載置した小形電気機器に対して、送風器（２４）で生成した乾燥空気を送給できる請求項１から３のいずれかひとつに記載の小形電気機器のスタンド。
【請求項５】
スタンドが、電気かみそりを支持するスタンドとして構成されており、
スタンドのハウジング（１５）の上面には、電気かみそりを倒立姿勢で支持する第３載置部（２３）が凹み形成されており、
ハウジング（１５）の内部に、乾燥空気を第３載置部（２３）へ向かって供給する送風器（２４）が設けてある請求項４に記載の小形電気機器のスタンド。
【請求項６】
第３載置部（２３）の底壁（２３ｂ）の内面に、第３載置部（２３）に装填したかみそりヘッド（２）を加熱する加熱器（２５）が配置してある請求項５に記載の小形電気機器のスタンド。
【請求項７】
加熱器（２５）が、第３載置部（２３）の底壁（２３ｂ）の内面に環状に配置されており、
加熱器（２５）で囲まれる空間に光殺菌作用を発揮する殺菌器（２６）が配置してある請求項６に記載の小形電気機器のスタンド。
【請求項８】
かみそりヘッド（２）を受止める第３載置部（２３）の底壁（２３ｂ）が、耐熱性に富む弾性体で形成してある請求項５から７のいずれかひとつに記載の小形電気機器のスタンド。
【請求項９】
第１載置部（２１）および第３載置部（２３）の下部構造が、耐熱性に富み、摩擦抵抗が大きな弾性体で形成したトレー体（３１）で構成されており、
トレー体（３１）の摩擦力で、第１載置部（２１）または第３載置部（２３）に装填した電気かみそりの滑り動きを阻止できる請求項８に記載の小形電気機器のスタンド。
【請求項１０】
第１載置部（２１）と第３載置部（２３）とが、電気かみそりの支持空間を共有する状態で連続して形成されており、
第３載置部（２３）の底壁（２３ｂ）が第１載置部（２１）の底壁（２１ｂ）の排水口（３２）へ向かって下り傾斜してある請求項５から９のいずれかひとつに記載の小形電気機器のスタンド。
【請求項１１】
第３載置部（２３）に加熱器（２５）から供給される温熱と、送風器（２４）から排水口（３２）を介して供給される乾燥空気とを作用させて、第３載置部（２３）に装填したかみそりヘッド（２）を乾燥させる請求項６から１０のいずれかひとつに記載の小形電気機器のスタンド。
【請求項１２】
ハウジング（１５）がベース体（１７）と、ベース体（１７）の上面を覆うハウジング本体（１８）とで構成されており、
ベース体（１７）の第１載置部（２１）との対向面に、送風器（２４）から送出された乾燥空気を第１載置部（２１）の排水口（３２）へ向かって流動案内するガイドリブ（６２）の一群が上突状に設けられており、
ガイドリブ（６２）が、トレー体（３１）の下面を支持する支持構造を兼ねている請求項５から１１のいずれかひとつに記載の小形電気機器のスタンド。
【請求項１３】
ハウジング（１５）の前部上面に起動スイッチ（５１）が配置されており、
保持リング（１６）が、起動スイッチ（５１）の周囲を囲む状態で、ハウジング（１５）の前端から斜め後ろへ向かって傾斜する状態で支持してある請求項３に記載の小形電気機器のスタンド。
【請求項１４】
第１載置部（２１）の排水口（３２）と正対するハウジング（１５）の内底に、排水口（３２）から流下する水を受止める排水パン（２７）が着脱自在に装着されており、
ハウジング（１５）の上面側から排水口（３２）を介して排水パン（２７）を視認して、排水パン（２７）の装着の有無を確認できる請求項１から１３のいずれかひとつに記載の小形電気機器のスタンド。
【発明の詳細な説明】
【技術分野】
【０００１】
本発明は、電気かみそりや携帯電話機などの小形電気機器を載置するためのスタンドに関する。スタンドには充電装置が設けられており、さらに載置対象に応じて乾燥装置を設けることがある。
【背景技術】
【０００２】
この種のスタンドは例えば特許文献１に開示がある。そこでは、水洗い式の電気かみそり用の乾燥器に、充電構造と乾燥構造とを設けている。乾燥器は、載置凹部を備えたケーシングと、載置凹部の上面を開閉する蓋を備えており、蓋を開放した状態において、倒立姿勢にした電気かみそりを載置凹部に差込んで、水洗い後のかみそりヘッドを乾燥構造で乾燥できる。また、蓋を閉止した状態では、電気かみそりの充電プラグを蓋に設けたソケットに接続することにより、電気かみそりに内蔵された２次電池を充電できる。かみそりヘッドを乾燥する場合には、ヒーターと送風ファンを同時に駆動して、乾燥風をヒーターで加熱してかみそりヘッドへ向かって送給する。ヒーターのみを作動させて除菌モードにし、あるいは送風ファンのみを作動させて冷却モードにして使用することもできる。
【０００３】
上記のように乾燥構造を備えているスタンドは、本出願人の出願に係る特許文献２のクリーニング装置にも見ることができる。そこでは、洗浄液をかみそりヘッドに送給する洗浄構造と、洗浄後のかみそりヘッドを乾燥する乾燥構造と、２次電池を充電する充電構造とが、クリーニング装置に設けてある。
【先行技術文献】
【特許文献】
【０００４】
【特許文献１】特開２００８−２７９２０７号公報（段落番号００３３、図１）
【特許文献２】特開２００８−３０２０９３号公報（段落番号００５０、図４）
【発明の概要】
【発明が解決しようとする課題】
【０００５】
特許文献１の乾燥器によれば、水洗い後のかみそりヘッドを乾燥構造で乾燥し、あるいは電気かみそりの２次電池を充電構造で充電することができる。また、乾燥モード以外の使用時には、蓋に設けたコネクター部（突起部）に電気かみそりを嵌め込むことにより、乾燥器を電気かみそりの充電スタンドとして、あるいは収納保管用のスタンドとして利用できる。しかし、収納保管用のスタンドとして使用する場合にも、充電時と同様に、電気かみそりの充電用のプラグを蓋に設けたコネクター部に嵌め込む必要があるので、手軽さに欠け使い勝手が悪い。また、充電時および収納保管時の電気かみそりは、乾燥器の蓋の上部に起立保持されるので、収納時の全高寸法が大きくなるのを避けられず、上下方向に長い収納スペースが必要となる。さらに、充電時および収納時の全高寸法が大きいため、電気かみそりを安定した状態で充電し、あるいは収納保管するのが難しい。
【０００６】
その点、特許文献２のクリーニング装置は、電気かみそりを支持するハウジングの底面積が大きく、さらにハウジングの重心位置が低いので、電気かみそりを安定した状態で収納保管できる。しかし、クリーニング装置が占める空間が大きいため、特許文献１の乾燥器と同様に収納スペースが大きくなるのを避けられない。また、クリーニング装置に電気かみそりを装填した状態で収納保管することはできるが、電気かみそりを倒立姿勢で装填する必要があるので、収納保管用のスタンドとして使用するには、出入れが煩雑で手軽さに欠けるきらいがある。
【０００７】
本発明の目的は、収納保管時の小形電気機器の出入れを簡便に行なうことができ、しかも、収納保管用のスタンドとして使用する際の収納スペースが小さくて済む、充電構造を備えた小形電気機器のスタンドを提供することにある。
本発明の目的は、水に濡れ、あるいは水洗い洗浄した小形電気機器を短時間で乾燥することができる、乾燥構造と充電構造とを備えた小形電気機器のスタンドを提供することにある。
【課題を解決するための手段】
【０００８】
本発明に係る小形電気機器のスタンドは、スタンドを構成するハウジング１５の上面に、小形電気機器を起立姿勢で支持する第１載置部２１と、小形電気機器を起立姿勢で支持して、同機器の２次電池６を充電するための第２載置部２２とが配置してあることを特徴とする。
【０００９】
図１に示すように、第１載置部２１はスタンドを構成するハウジング１５の上面に凹み形成され、第２載置部２２は第１載置部２１の上開口縁に連続して、第１載置部２１より高い位置に形成する。
【００１０】
第１載置部２１と第２載置部２２とは前後に隣接する状態で配置する。第１載置部２１と第２載置部２２の段差を繋ぐ部分に、第１載置部２１に載置した小形電気機器の周面を支持する支持壁４４を設ける。
【００１１】
支持壁４４は傾斜壁で形成し、傾斜壁の横断面は第２載置部２２の内部へ向かって内凹み状に湾曲させる。第１載置部２１の底壁２１ｂに排水口３２を形成する。
【００１２】
第２載置部２２に、基底部３７と、基底部３７に突設されるコネクター部３８と、基底部３７の周縁を囲む上突状の周壁３９とを設ける。第１載置部２１の支持壁４４の両側縁を、周壁３９に連続するリブ壁４５で覆う。
【００１３】
ハウジング１５の上面上方に、第１載置部２１および／または第２載置部２２に載置した小形電気機器の周面の上下中途部を支持する保持リング１６を設ける。保持リング１６はハウジング１５で斜めに傾斜する状態で支持する。
【００１４】
ハウジング１５の内部に、乾燥空気を送出する送風器２４を設ける。第１載置部２１および／または第２載置部２２に載置した小形電気機器に対して、送風器２４で生成した乾燥空気を送給できるようにする。
【００１５】
スタンドは、電気かみそりを支持するスタンドとして構成する。図１に示すようにスタンドのハウジング１５の上面に、電気かみそりを倒立姿勢で支持する第３載置部２３を凹み形成する。ハウジング１５の内部に、乾燥空気を第３載置部２３へ向かって供給する送風器２４を設ける。
【００１６】
第３載置部２３の底壁２３ｂの内面に、第３載置部２３に装填したかみそりヘッド２を加熱する加熱器２５を配置する。
【００１７】
加熱器２５は、第３載置部２３の底壁２３ｂの内面に環状に配置する。加熱器２５で囲まれる空間に光殺菌作用を発揮する殺菌器２６を配置する。
【００１８】
かみそりヘッド２を受止める第３載置部２３の底壁２３ｂを、耐熱性に富む弾性体で形成する。
【００１９】
第１載置部２１および第３載置部２３の下部構造を、耐熱性に富み、摩擦抵抗が大きな弾性体で形成したトレー体３１で構成する。トレー体３１の摩擦力で、第１載置部２１または第３載置部２３に装填した電気かみそりの滑り動きを阻止する。
【００２０】
第１載置部２１と第３載置部２３とは、電気かみそりの支持空間を共有する状態で連続して形成する。第３載置部２３の底壁２３ｂを第１載置部２１の底壁２１ｂの排水口３２へ向かって下り傾斜させる。
【００２１】
第３載置部２３に加熱器２５から供給される温熱と、送風器２４から排水口３２を介して供給される乾燥空気とを作用させて、第３載置部２３に装填したかみそりヘッド２を乾燥する。
【００２２】
ハウジング１５はベース体１７と、ベース体１７の上面を覆うハウジング本体１８とで構成する。ベース体１７の第１載置部２１との対向面に、送風器２４から送出された乾燥空気を、第１載置部２１の排水口３２へ向かって流動案内するガイドリブ６２の一群を上突状に設ける。ガイドリブ６２が、トレー体３１の下面を支持する支持構造を兼ねるようにする。
【００２３】
ハウジング１５の前部上面に起動スイッチ５１を配置する。保持リング１６は、起動スイッチ５１の周囲を囲む状態で、ハウジング１５の前端から斜め後ろへ向かって傾斜する状態で支持する。
【００２４】
第１載置部２１の排水口３２と正対するハウジング１５の内底に、排水口３２から流下する水を受止める排水パン２７を着脱自在に装着する。ハウジング１５の上面側から排水口３２を介して排水パン２７を視認して、排水パン２７の装着の有無を確認できるようにする。
【発明の効果】
【００２５】
本発明においては、ハウジング１５の上面に第１載置部２１と第２載置部２２とを設け、小形電気機器を収納保管する場合と充電する場合とで、その載置位置を変更できるようにした。詳しくは、収納保管時の小形電気機器は第１載置部２１に装填し、充電時の小形電気機器は第２載置部２２に装填できるようにした。このように、小形電気機器を収納保管する場合と充電する場合とでその載置位置を個別化すると、少なくとも小形電気機器を収納保管する場合には電気的な接続を行う必要がないので、小形電気機器の収納およびスタンドからの取出しを簡便、かつ手軽に行なうことができる。従って、使い勝手に優れたスタンドを提供できる。必要に応じて、小形電気機器を第２載置部２２に装填することにより、小形電気機器に設けた２次電池６を充電することもできる。
【００２６】
ハウジング１５の上面に第１載置部２１を凹み形成し、第２載置部２２を第１載置部２１の上開口縁に連続して同載置部２１より高い位置に形成すると、スタンドに小形電気機器を収納した状態における全高寸法を小さくできる。従って、スタンドに小形電気機器を収納する場合の収納スペースを小さくして、収納場所の制約を軽減できる。また、水滴が付着した状態のままで小形電気機器の充電を行うと、そのプラグ９などの接続部分で電気腐食を生じるおそれがあるが、高い位置に設けた第２載置部２２で充電を行うことにより、小形電気機器に付着した水滴を第１載置部２１側へ流下させて、電気腐食の発生を良く防止できる。
【００２７】
第１載置部２１と第２載置部２２の段差部分に支持壁４４を設け、第１載置部２１に載置した小形電気機器の周面を支持壁４４で支持できるようにすると、小形電気機器を安定した状態で支持して起立姿勢に保持できる。また、両載置部２１・２２を前後に隣接する状態で配置するので、各載置部２１・２２の小形電気機器を装填した場合に、小形電気機器が占める支持空間を共有することができ、その分だけスタンドを小形化し、コンパクト化できる。
【００２８】
支持壁４４を傾斜壁で形成し、さらに内凹み状の湾曲壁で構成すると、小形電気機器の周面の後部および左右側部を支持壁４４で保持できるので、第１載置部２１に装填した小形電気機器をさらに安定した状態で起立姿勢に保持できる。また、第２載置部２２から流れ落ちる水または水滴を支持壁４４に沿って確実に流下させて、第１載置部２１の底壁２１ｂに形成した排水口３２から排出することができる。
【００２９】
基底部３７と、コネクター部３８と、これら両者３７・３８の周縁を囲む周壁３９などで第２載置部２２を構成すると、小形電気機器から流れ落ちた水または水滴が、第２載置部２２の周囲に拡散しながら流動するのを周壁３９で防止できる。また、コネクター部３８を基底部３７に突設するので、プラグ９などの電気的な接続部分に水分が付着して電気腐食が生じるのを良く防止できる。さらに、基底部３７で受止められた水または水滴の全てを、先の支持壁４４を介して排水口３２へと流下することができる。
【００３０】
ハウジング１５の上面上方に保持リング１６を設け、各載置部２１・２２に起立姿勢で装填した状態の小形電気機器の周面の上下中途部を保持リング１６で支持すると、小形電気機器を各載置部２１・２２と協同してさらに安定した状態で支持できる。また、小形電気機器が保持リング１６内に位置している限りは、小形電気機器が前向きあるいは横向きに転倒するのを防止できるので、転倒に伴う傷の発生や破損、あるいは故障の発生などを良く防止できる。さらに、保持リング１６をハウジング１５で斜めに傾斜支持するので、スタンドの外観において保持リング１６が最も目に付きやすくなり、そのデザインの斬新さが強調されるので、スタンドのデザイン効果を向上することができる。
【００３１】
各載置部２１・２２に載置した小形電気機器に対して、送風器２４で生成した乾燥空気を送給することにより、小形電気機器に付着した水または水滴を効果的に蒸発させて除去できる。あるいは、充電時に２次電池６の発熱作用で加熱された小形電気機器を、乾燥空気で冷却して常温状態にまで戻すことができる。
【００３２】
ハウジング１５の上面に第３載置部２３を凹み形成し、送風器２４で生成した乾燥空気を第３載置部２３の内部へ向かって供給すると、同載置部２３に装填した電気かみそりの乾燥および冷却を促進できる。たとえば、水洗い洗浄されたかみそりヘッド２を第３載置部２３に装填することにより、送風器２４から供給された乾燥空気をかみそりヘッド２に吹きつけて、同ヘッド２の内外面に付着した水分の蒸発を促進し、より短い時間で乾燥を行うことができる。
【００３３】
第３載置部２３の底壁２３ｂの内面に加熱器２５を配置したスタンドによれば、送風器２４から供給される乾燥空気による乾燥作用と、加熱器２５による加熱作用との相乗作用で、かみそりヘッド２の乾燥をさらに効果的に行うことができる。従って、かみそりヘッド２の内外面を乾燥した状態に保持して電気かみそりを衛生的な状態で収納保管できる。
【００３４】
環状に配置した加熱器２５で囲まれる空間に、光殺菌作用を発揮する殺菌器２６を配置すると、加熱器２５の加熱作用に並行して、かみそりヘッド２の表面などに付着している雑菌を殺菌器２６で殺菌できる。従って、電気かみそりが長期にわたって収納保管される場合でも、毛屑や皮脂などの有機物が雑菌に分解されて腐敗臭が生じるのを良く防止できる。
【００３５】
かみそりヘッド２を受止める第３載置部２３の底壁２３ｂを、耐熱性に富む弾性体で形成すると、かみそりヘッド２を第３載置部２３に倒立姿勢で装填した状態において、外刃３が底壁２３ｂに衝突するような場合に、外刃３が変形しあるいは傷付くのを良く防止できる。また、かみそりヘッド２の外刃３などを底壁２３ｂに密着できるので、加熱器２５の熱を外刃３および内刃４などに効果的に伝導して、かみそりヘッド２に付着した水または水滴の乾燥を促進できる。
【００３６】
第１載置部２１および第３載置部２３の下部構造をトレー体３１で構成すると、第１載置部２１または第３載置部２３に装填した電気かみそりの滑り動きを、トレー体３１の摩擦力で阻止できる。従って、第１載置部２１および第３載置部２３に装填した電気かみそりを、ぐら付きのない状態で安定的に保持できる。外部振動を受けて、電気かみそりが振動し、振動騒音を発生することもない。
【００３７】
第１載置部２１と第３載置部２３を、電気かみそりの支持空間を共有する状態で連続して形成すると、電気かみそりが占める支持空間を共有する分だけスタンドを小形化し、コンパクト化できる。また、第３載置部２３の底壁２３ｂを第１載置部２１の底壁２１ｂの排水口３２へ向かって下り傾斜させることにより、かみそりヘッド２から流下した水または水滴を、確実に排水口３２へ向かって流下することができるので、かみそりヘッド２の乾燥をさらに促進できる。
【００３８】
第３載置部２３に加熱器２５から供給される温熱と、送風器２４から供給される乾燥空気とを同時に作用させてかみそりヘッド２を乾燥すると、かみそりヘッド２の乾燥をさらに効果的に行って、電気かみそりを衛生的な状態で収納保管できる。
【００３９】
ベース体１７の第１載置部２１との対向面にガイドリブ６２の一群を設けると、送風器２４から送出された乾燥空気をガイドリブ６２で排水口３２へ向かって流動案内して、第３載置部２３に装填したかみそりヘッド２に対して乾燥空気を確実に送給して、乾燥をさらに促進できる。また、ガイドリブ６２を利用してトレー体３１を支持することにより、第１載置部２１および第３載置部２３に装填した電気かみそりをガイドリブ６２で安定した状態で支持できるうえ、別途トレー体３１用の支持構造を設ける場合に比べて、ベース体１７の構造を簡素化できる。
【００４０】
ハウジング１５の前部上面に配置した起動スイッチ５１の周囲を囲む状態で保持リング１６を設けると、起動スイッチ５１が誤って切換え操作されるのを保持リング１６で妨げることができる。また、スタンドが転倒するような場合に、起動スイッチ５１が切換えられてしまうのを防止して、安全性を向上できる。さらに、起動スイッチ５１の外形を保持リング１６の内面形状に一致させて、スイッチ周りの構造を簡素化し保持リング１６のデザインと同化できるので、スタンドの外観上の印象を向上してデザイン性と機能性とを同時に満足することができる。
【００４１】
排水口３２と正対するハウジング１５の内底に排水パン２７を配置すると、ハウジング１５の上面側から排水口３２を介して排水パン２７を視認することで、排水パン２７の装着の有無を確認できる。従って、排水パン２７がハウジング１５に装着されていない状態のままで、スタンドに水洗い洗浄後の電気かみそりが装填されるのを防止し、あるいはユーザーの注意を喚起して適正な状態でスタンドを使用することができる。
【図面の簡単な説明】
【００４２】
【図１】本発明に係るスタンドの要部の縦断側面図である。
【図２】本発明に係るスタンドと小形電気機器の正面図である。
【図３】本発明に係るスタンドの斜視図である。
【図４】本発明に係るスタンドの側面図である。
【図５】スタンドの分解断面図である。
【図６】スタンドの平面図である。
【図７】ハウジングを構成するベース板とトレー体の分解平面図である。
【図８】ヒーターユニットの分解斜視図である。
【図９】第１載置部に電気かみそりを装填した収納時の使用状態を示す側面図である。
【図１０】第２載置部に電気かみそりを装填した充電時の使用状態を示す側面図である。
【図１１】第３載置部に電気かみそりを装填した乾燥時の使用状態を示す側面図である。
【図１２】乾燥時の各機器と電気かみそりとの関係を示す縦断側面図である。
【図１３】スタンドの別の実施例を示す説明図である。
【図１４】スタンドのさらに別の実施例を示す説明図である。
【発明を実施するための形態】
【００４３】
（実施例）  図１ないし図１２は本発明に係る小形電気機器用のスタンドの実施例を示しており、小形電気機器が電気かみそりである場合のスタンドを示している。本発明における前後、左右、上下とは、図２および図３に示す交差矢印と、矢印の先端近傍の前後、左右、上下の表示に従うものとする。
【００４４】
図２において電気かみそりは、グリップを兼ねる本体部１と、本体部１の上部に設けられるかみそりヘッド２とを備えている。かみそりヘッド２には、網刃からなる断面アーチ形の一対の外刃３と、各外刃３の内面に摺接するロータリー式の内刃４・４と、センター刃とが設けられており、本体部１の内部に設けたモーター５の回転動力で、内刃４・４を回転駆動できる。かみそりヘッド２は水洗い洗浄することができ、洗浄時に内刃４・４を駆動することにより、かみそりヘッド２の内部に付着した毛屑や皮脂などを効果的に洗い流すことができる。
【００４５】
本体部１にはモーター５に電力を供給する２次電池６が収容され、その前面にメインスイッチを切り換えるための押しボタン型のスイッチボタン７と、運転モードを表示するためのＬＥＤ表示８などが設けてある。本体部１の下端には、給電用のプラグ９が設けてあり、このプラグ９を介して充電電流を供給することにより２次電池６を充電することができる。かみそりヘッド２の背面側には、図示していないきわ剃り刃ユニットの収容部１０が本体部１と一体に設けてある（図９参照）。
【００４６】
スタンドは、平面視において前後方向に長い楕円状のハウジング１５と、ハウジング１５の前端から斜め後ろへ向かって上り傾斜する楕円形の保持リング１６を備えている。図３ないし図５に示すように、ハウジング１５は、ベース体１７と、ベース体１７の上面を覆うハウジング本体１８などで構成されており、下向きに開口するハウジング本体１８の上面側に第１〜第３の載置部２１・２２・２３が設けてある。また、ハウジング本体１８の内部には、軸流ファン（送風器）２４と、ヒーターユニット（加熱器）２５と、紫外光を照射する殺菌ＬＥＤ（殺菌器）２６と、排水パン２７などが収容してある。
【００４７】
３個の載置部２１・２２・２３は、電気かみそりを起立姿勢で支持するための載置部（第１載置部）２１と、電気かみそりの２次電池６を充電するための載置部（第２載置部）２２と、電気かみそりを倒立姿勢で支持して乾燥し、または殺菌するための載置部（第３載置部）２３とからなる。図１および図６に示すように、第３載置部２３と、第１載置部２１と、第２載置部２２は、ハウジング本体１８の前部から後部へわたって記載順に配置してある。第１載置部２１と第３載置部２３が、それぞれハウジング本体１８の上面に凹み形成されるのに対し、第２載置部２２はハウジング本体１８の上面よりも上向きに膨出する状態で形成してある。
【００４８】
第１載置部２１と第３載置部２３とは、電気かみそりの支持空間を互いに共有する状態で前後に連続して形成してある。詳しくは、第１載置部２１に装填した状態の電気かみそりが占有する支持空間と、第３載置部２３に装填した状態の電気かみそりが占有する支持空間の一部とが、前後に重なるように両載置部２１・２３が設けてある。図６に示すように、電気かみそりの本体部１の下部を受入れる第１載置部２１は半楕円状の凹みとして形成してある。また、本体部１１より広幅のかみそりヘッド２を受入れる第３載置部２３は四隅が丸められた長方形状の凹みとして形成してあり、凹み後側の周囲壁の左右中央に第１載置部２１が連続して形成してある。
【００４９】
図５に示すように、両載置部２１・２３の凹みの上周囲壁２１ａ・２３ａはハウジング本体１８と一体に形成してあり、両載置部２１・２３の凹みの下周囲壁および底壁は１個のトレー体３１で形成してある。第３載置部２３の上周囲壁２３ａの前壁には、かみそりヘッド２を受止める３個の位置決めリブ３４が突設してある。トレー体３１は、耐熱性に富み、摩擦力が大きなゴム（弾性体）を素材とする成形品からなり、その第１載置部２１側の底壁２１ｂには排水口３２が開口され、第３載置部２３側の底壁２３ｂには窓開口３３が開口してある。第３載置部２３側の底壁２３ｂは、第１載置部２１の底壁２１ｂの排水口３２へ向かって下り傾斜させてある。第３載置部２３の凹部の前壁には、先の位置決めリブ３４に対応する位置決めリブ３５が突設してある。これらのリブ３４・３５は、乾燥空気の排出路を確保する区分壁としても機能している。
【００５０】
第２載置部２２は、第１載置部２１の後側に隣接する状態で設けるが、第１載置部２１の上開口縁に連続して第１載置部２１より高い位置に形成する。第２載置部２２は、水平の基底部３７と、基底部３７に膨出形成されるコネクター部３８と、基底部３７の周縁を囲むＵ字状の周壁３９とで構成する。コネクター部３８は、平面視が凸字状に形成してあり、その内部に電気かみそりのプラグ９を接続するための一対の端子板４０が設けてある。
【００５１】
基底部３７と第１載置部２１の底壁２１ｂとの段差を繋ぐ部分には、第１載置部２１に載置した電気かみそりの本体部１の周面を支持する支持壁４４が設けてある。支持壁４４は、底壁２１ｂから基底部３７へ向かって上り傾斜する傾斜壁で形成してあり、さらに支持壁４４の横断面は、本体部１の周囲形状に対応して、第２載置部２２の内部へ向かって内凹み状に湾曲させてある。支持壁４４の左右側縁は、周壁３９に連続するリブ壁４５で覆われており、その上下中途部に受止段部４６が形成してある。
【００５２】
上記のように、第１載置部２１の左右両側をリブ壁４５で覆うことにより、水洗い洗浄したかみそりヘッド２を第３載置部２３に装填した状態において、本体部１あるいは収容部１０などから滴る水滴が、周辺に流動し拡散するのを防止できる。また、受止めた水滴の全てを排水口３２へと流下することができる。左右のリブ壁４５の対向間隔は、収容部１０の左右幅より僅かに大きく設定してある。支持壁４４とリブ壁４５との間に、第３載置部２３にかみそりヘッド２を装填した状態において、収容部１０を受止めて電気かみそり全体を安定的に支持する座壁４７が形成してある。
【００５３】
ハウジング本体１８の上面の前部には弦月形状の起動スイッチ５１が配置されており、この起動スイッチ５１の周囲を囲む状態で、保持リング１６がハウジング本体１８に固定してある。片持ち梁状に支持される保持リング１６を強固に支持するために、ハウジング本体１８の前部に支持段部５２が形成され、さらにハウジング本体１８の前部の左右に三角形状の受座５３が突設してある。図５において符号５４は溶着ピンであり、このピン５４をハウジング本体１８の前壁に係合したのち、先端を溶融変形することにより、保持リング１６をハウジング本体１８に固定できる。
【００５４】
図４に示すように、ハウジング本体１８の周囲壁の後部には、軸流ファン２４用の吸気開口５５が多段溝状に開口してある。また、ハウジング本体１８の周囲壁の左右には、排水パン２７用の装着口５６がトンネル断面状に形成され、右壁の後部に電源コード５７のコードアーマー５８を収容する凹部５９が形成してある。
【００５５】
図５に示すように、ベース体１７の上面側は、その中途部上面に設けた区分壁６０で前後に区分されており、区分壁６０より前側に基板ユニット６１を収容する区画が設けられ、区分壁６０より後側にトレー体３１、軸流ファン２４、およびヒーターユニット２５を収容する区画が設けてある。区分壁６０より後側の区画の上面には、軸流ファン２４から送出された乾燥空気を第１載置部２１の排水口３２へ向かって流動案内するガイドリブ６２の一群が上突状に設けてある。図７に示すように、平面から見たときの区分壁６０はＣ字状に形成してある。
【００５６】
区分壁６０の傾斜壁には、殺菌ＬＥＤ２６を差込むためのＬＥＤ開口６３が左右に長い長方形状に開口してある。さらに、ガイドリブ６２の後方に軸流ファン２４を支持するブラケット６４が突設してある。区分壁６０およびガイドリブ６２の上縁部は、トレー体３１の下面を支持する支持構造を兼ねている。詳しくは図１に示すように、ベース体１７をハウジング本体１８に組付けた状態において、第１、第３載置部２１・２３の上周囲壁２１ａ・２３ａの下開口と、区分壁６０およびガイドリブ６２の上縁部との間に、トレー体３１の周縁のフランジ部３１ａを挟持し、さらに、トレー体３１の排水口３２の周囲壁をガイドリブ６２で支持している。
【００５７】
図５に示すように、基板ユニット６１は、カバー体６７の上面に制御基板６８を垂直姿勢で固定し、その前面側にスイッチ素子６９と、スイッチ照明用のＬＥＤ７０とを実装し、その後面側に６個の殺菌ＬＥＤ２６を配置して構成してある。起動スイッチ５１は、スイッチ素子６９の上方に配置されて、保持リング１６とハウジング本体１８で上下スライド自在に支持されており、カバー体６７と起動スイッチ５１との間に配置した左右一対のばね７１で押し上げ付勢してある（図２参照）。
【００５８】
図１に示すように、軸流ファン２４は吸気開口５５に臨むベース体１７の上面後部に配置されて、ブラケット６４に傾斜する姿勢で固定してある。図８において、ヒーターユニット２５は、左右に長い四角枠状のヒーターベース７５と、ヒーターベース７５の周囲に環状に配置されるシーズヒーター７６と、金属板製の伝熱板７７と、発熱温度を監視する温度センサー７８とで構成してある。ヒーターユニット２５は、図７に示すように、ＬＥＤ開口６３の上面側の周囲壁にビス７９で固定されて、その伝熱板７７がトレー体３１の窓開口３３の下面周縁に密着している（図１２参照）。従って、シーズヒーター７６の温熱（約６０℃）を伝熱板７７を介して、第３載置部２３の底壁２３ｂに伝導することができる。
【００５９】
基板ユニット６１をベース体１７に組付けた状態では、６個の殺菌ＬＥＤ２６がＬＥＤ開口６３内へ入込んで、窓開口３３にはめ込んだ透明の窓板８０と正対する。従って、殺菌ＬＥＤ２６を点灯した状態では、窓板８０を介して第３載置部２３の内部へ紫外光を照射することができる。
【００６０】
図４および図５において、排水パン２７は、左右に長い長方形状の浅い皿状体８４と、皿状体８４の左右両側に立設したつまみ部８５とを一体に備えており、全体がハウジング本体１８の装着口５６に着脱自在に装着してある。詳しくは、つまみ部８５の上部に設けた係合爪８６を、装着口５６の内面上方に設けた係合凹部８７に係合することにより、排水パン２７をハウジング本体１８に固定できる。また、一対のつまみ部８５を内向きに弾性変形させながら、係合爪８６と係合凹部８７の係合を解除することにより、排水パン２７をハウジング本体１８から取外すことができる。
【００６１】
図１に示すように、ハウジング本体１８に装着した排水パン２７の上面の後半部は、ベース体１７の底壁８８で覆われており、底壁８８で覆われていない残りの部分は、底壁８８に開口した開口８９を介してトレー体３１の排水口３２と正対している。ベース体１７に装着した排水パン２７は、排水口３２を介して視認することができる。従って、スタンドを使用する際に、ハウジング１５の上面側から排水口３２を介して排水パン２７を視認することにより、排水パン２７の有無および装着状態を確認できる。
【００６２】
水洗い洗浄した電気かみそりは、かみそりヘッド２を第３載置部２３に装填した状態で乾燥する。しかし、かみそりヘッド２が第３載置部２３に装填されていない状態で、軸流ファン２４、ヒーターユニット２５、および殺菌ＬＥＤ２６が作動すると、無駄な電力が消費されるのはもちろん、第３載置部２３の周囲壁が不必要に加熱されて高温になり、この高温部分に指先が触れて火傷するおそれがある。こうした状況を確実に防止するために、片側のリブ壁４５の受止段部４６の上側にスイッチレバー９２を設けている。
【００６３】
図１２に示すように、電気かみそりのかみそりヘッド２が第３載置部２３に倒立姿勢で装填された状態において、スイッチレバー９２が収容部１０の突端で押し下げられてスイッチ素子９３をオン操作する。この状態で、起動スイッチ５１を押下げ操作することにより、軸流ファン２４およびヒーターユニット２５を起動させ、さらに殺菌ＬＥＤ２６を点灯することができる。以後、所定時間が経過して乾燥処理が終了すると、軸流ファン２４のみが稼動されてかみそりヘッド２を冷却する。さらに、一定時間が経過したのち、全ての電装機器２４〜２６に対する給電を停止して待機状態に戻る。
【００６４】
以上のように構成したスタンドは、電気かみそりを第１載置部２１〜第３載置部２３のいずれかに載置した状態で使用する。不使用状態の電気かみそりを単に収納保管する場合には、図９に示すように、本体部１の下部を第１載置部２１に差込み、本体部１の上部背面を保持リング１６にもたれさせる。この状態の電気かみそりは、スタンドの最も低い位置で支持されており、しかも、本体部１の上下２個所が第１載置部２１と保持リング１６との２個所で安定的に支持されている。従って、本体部１あるいはかみそりヘッド２を単に掴んで持ち上げるだけで、電気かみそりをスタンドから簡便に取り出すことができる。収納状態における電気かみそりは、本体部１の下部が排水口３２に嵌まり込み、さらにゴム製のトレー体３１の底壁２１ｂで受止められるので、本体部１の下部が滑り動くのを良く防止できる。また、収納状態の電気かみそりは、スタンドの最も低い位置で収納されるので、全高寸法を小さくでき、その分だけ収納スペースを小さくできる。
【００６５】
電気かみそりをスタンドに載置する場合には、本体部１の下部を第１載置部２１の凹みにあてがって、その上部を保持リング１６にもたれさせるだけで、安定した状態で収納保管できる。このとき、電気かみそりを第１載置部２１に対して厳密に位置決めする必要はなく、本体部１の下部が第１載置部２１に入込む程度の大まかな操作で電気かみそりを適正に収納保管できる。以上のように、本発明のスタンドによれば、収納保管時の電気かみそりの出入れを手軽にしかも簡便に行なうことができる。
【００６６】
２次電池６の充電を行う場合には、図１０に示すように、本体部１の下端を第２載置部２２のコネクター部３８に差込んでプラグ９を端子板４０に接続し、電気かみそりの全体を起立姿勢にする。この状態では、制御基板６８に設けた充電回路から出力される充電電流をプラグ９を介して２次電池６に供給して、同電池６を充電できる。このとき、本体部１に設けたＬＥＤ表示８を点灯させることにより、充電の進行状況を表示することができる。電気かみそりのプラグ９をコネクター部３８に接続した状態では、本体部１の下部が基底部３７から浮き離れている。そのため、本体部１に付着していた水または水滴が、基底部３７へ流下することがあってもプラグ９が濡れることはなく、安全に充電を行える。
【００６７】
電気かみそりでひげ切断を行ったのち、水洗い洗浄したかみそりヘッド２を乾燥する場合には、図１１に示すように、電気かみそりの全体を倒立姿勢にしたのち、かみそりヘッド２を第３載置部２３に装填する。かみそりヘッド２を第３載置部２３に装填した状態では、その前面が位置決めリブ３４・３５で受止められ、さらに外刃３が窓板８０で受止められている。また、収容部１０の後面が座壁４７の上下２個所で受止められ（図２参照）、収容部１０の突端が受止段部４６で受止められるため、倒立姿勢にした電気かみそりを、常に一定の姿勢にして安定した状態で支持できる。この装填過程で、スイッチレバー９２が収容部１０で押下げられてスイッチ素子９３が給電回路を通電状態に切換える。
【００６８】
かみそりヘッド２を第３載置部２３に装填した時点で、かみそりヘッド２の内部に入り込んでいた洗浄水が、外刃３を介して第３載置部２３の底壁２３ｂ側へ流れ出る。しかし、底壁２３ｂが排水口３２へ向かって下り傾斜させてあるため、外刃３から流出した洗浄水は排水口３２の側へ流下し、さらに排水口３２から排水パン２７の皿状体８４へと落下する。このとき、本体部１のスイッチボタン７をオン操作して内刃４を所定時間だけ空転させることにより、かみそりヘッド２の内部の洗浄水を効果的に排出することができる。
【００６９】
上記の状態で起動スイッチ５１を押込んでスイッチ素子６９をオン操作することにより、軸流ファン２４およびヒーターユニット２５を起動させ、さらに殺菌ＬＥＤ２６を点灯して、乾燥運転を開始することができる。このとき、ＬＥＤ７０を点灯させ、あるいは明滅させることにより、スタンドが乾燥処理状態に切換わったことを表示できる。図１および図１２に示すように、軸流ファン２４から送出された乾燥空気（加圧空気）は、トレー体３１の第１載置部２１側の底壁２１ｂとベース体１７の底壁８８との間の隙間へ送給され、この隙間に設けたガイドリブ６２で前向きに流動案内されたのち、排水口３２から第３載置部２３の凹部内へと入込んでかみそりヘッド２の表面に接触し、外刃３や内刃４に付着した水滴を蒸発させる。かみそりヘッド２と窓板８０との間の隙間を吹きぬけた乾燥空気は、位置決めリブ３５・３４の間から上向きに排出される。
【００７０】
またヒーターユニット２５で生成された熱は、伝熱板７７と第３載置部２３の底壁２３ｂおよび窓板８０を介して外刃３を含むかみそりヘッド２に伝えられ、外刃３や内刃４に付着した水滴の温度を上げて蒸発を促進する。従って、ヒーターユニット２５による伝熱作用と、軸流ファン２４の送風作用とによって、かみそりヘッド２の内外面に付着している水滴を効果的に蒸発し乾燥させることができる。
【００７１】
ヒーターユニット２５による伝熱作用と並行して、殺菌ＬＥＤ２６から紫外光を外刃３および内刃４に照射して、外刃３および内刃４に付着している雑菌を殺菌し、あるいは水滴に含まれている雑菌を殺菌することができる。乾燥処理を開始して所定時間が経過すると、ＬＥＤ７０を明滅させ、あるいは消灯させることにより、スタンドの乾燥処理が終了したことを表示できる。乾燥処理が終了したら、軸流ファン２４のみを駆動して乾燥空気をかみそりヘッド２に送給し、加熱されたかみそりヘッド２を常温状態にまで冷却できる。軸流ファン２４の起動から一定時間が経過すると、全ての電装機器２４〜２６に対する給電が停止されて、スタンドは待機状態に復帰する。
【００７２】
図１３はスタンドの別の実施例を示す。そこでは、殺菌ＬＥＤ２６および窓板８０を省略して、軸流ファン２４から送出された乾燥空気を、窓開口３３からかみそりヘッド２へ向かって送給できるようにした。この場合には、ヒーターユニット２５を併用してかみそりヘッド２の乾燥を促進することができ、また、乾燥風の一部を排水口３２を介してかみそりヘッド２へ向かって送給することができる。他は先の実施例と同じであるので、同じ部材に同じ符号を付して、その説明を省略する。以下の実施例においても同じとする。
【００７３】
図１４はスタンドのさらに別の実施例を示す。この実施例においては小形電気機器が防水機能を備えた携帯電話９５である場合を示しており、スタンドには第１載置部２１と第２載置部２２のみが設けてある。携帯電話９５の下端には充電用のプラグ９６が設けてあり、このプラグ９６が排水口３２に臨む状態で携帯電話９５を第１載置部２１に載置し、乾燥空気を排水口３２から携帯電話９５に送給して、プラグ９６の周辺部分に付着している水滴を蒸発し乾燥させることができる。
【００７４】
上記の実施例では、プラグ９を介して２次電池６を充電するようにしたが、その必要はなく非接触式の充電構造で２次電池６を充電することができる。その場合には、第２載置部２２の側に発振コイルを設け、電気かみそりの側に受信コイルとコンデンサー、および整流回路などを設けて、非接触状態で充電できるようにするとよい。
【００７５】
送風器２４は軸流ファンである必要はなく、遠心ファンやターボファンなどのファンを適用することができる。加熱器２５の熱源はシーズヒーター以外にセラミックヒーターを適用することができる。殺菌器２６としては紫外光を放射するランプ、あるいは蛍光灯であってもよい。
【符号の説明】
【００７６】
１  本体部
２  かみそりヘッド
１５  ハウジング
１６  保持リング
１７  ベース体
１８  ハウジング本体
２１  第１載置部
２２  第２載置部
２３  第３載置部
２４  送風器（軸流ファン）
２５  加熱器（ヒーターユニット）
２６  殺菌器（殺菌ＬＥＤ）
３１  トレー体
３２  排水口
５１  起動スイッチ
【図１】
0005893444.tif 000002
【図２】
0005893444.tif 000003
【図３】
0005893444.tif 000004
【図４】
0005893444.tif 000005
【図５】
0005893444.tif 000006
【図６】
0005893444.tif 000007
【図７】
0005893444.tif 000008
【図８】
0005893444.tif 000009
【図９】
0005893444.tif 000010
【図１０】
0005893444.tif 000011
【図１１】
0005893444.tif 000012
【図１２】
0005893444.tif 000013
【図１３】
0005893444.tif 000014
【図１４】
0005893444.tif 000015